(57)【要約】【課題】間取りの少ない広い居住空間を形成でき、設計時やリフォーム時のプランニングの自由度が高い壁式構造建物を提供すること。【解決手段】耐力壁を含む平面構造体によって建物を支える壁式構造建物１０であって、室内空間Ｓを形成する壁１２ａ，１２ｂ，１４ａ，１４ｂ，１４ｃを建物を支える耐力壁で構成するとともに、室内空間Ｓを形成する壁１２ａ，１２ｂを隔てて建物内における室内空間Ｓの外にある外部空間１８，２０に建物を支える耐力壁をさらに設置した。【選択図】図１
2014163093.tif 000002
【特許請求の範囲】
【請求項１】
耐力壁を含む平面構造体によって建物を支える壁式構造建物であって、室内空間を形成する壁を建物を支える耐力壁で構成するとともに、室内空間を形成する壁を隔てて建物内における室内空間の外にある外部空間に建物を支える耐力壁をさらに設置したことを特徴とする壁式構造建物。
【請求項２】
室内空間の中には耐力壁を設置していないことを特徴とする請求項１に記載の壁式構造建物。
【請求項３】
外部空間に配置した耐力壁は廊下あるいはバルコニーの外壁を構成していることを特徴とする請求項１または２に記載の壁式構造建物。
【請求項４】
室内空間を形成する壁と廊下あるいはバルコニーの外壁との間に建物を支える耐力壁をさらに設置したことを特徴とする請求項３に記載の壁式構造建物。
【請求項５】
外部空間に配置される配管スペースあるいは収納スペースを覆う壁を、建物を支える耐力壁で構成したことを特徴とする請求項４に記載の壁式構造建物。
【発明の詳細な説明】
【技術分野】
【０００１】
本発明は、中低層の集合住宅に好適な壁式構造建物に関するものである。
【背景技術】
【０００２】
中低層の集合住宅には、壁や床板などの平面的な構造体で建物を支える壁式構造が採用されることがある。壁式構造においては、建物の桁行方向および張間方向のそれぞれについて、床面積の大きさに応じて建物を支える耐力壁の量が定められている。集合住宅には、通常、隣家との間の仕切りとなる壁が張間方向に延びているため、この壁を耐力壁とすることによって張間方向の耐力壁の量は確保されやすい。一方、桁行方向の壁には採光用の窓や出入り用の間口などの開口部が形成されるため、室内空間を形成する壁だけでは桁行方向の耐力壁の量が十分に確保できない。このため、室内空間における間取りの仕切りの一部を耐力壁で構成することによって桁行方向の耐力壁の量を確保している。
【先行技術文献】
【非特許文献】
【０００３】
【非特許文献１】社団法人日本建築学会、壁式構造関係設計基準集・同解説（壁式鉄筋コンクリート造編）第２版第６刷、社団法人日本建築学会、２０１２年１月１７日
【発明の概要】
【発明が解決しようとする課題】
【０００４】
しかしながら、室内空間における間取りの仕切りを耐力壁にして桁行方向の耐力壁の量を補う従来の設計では、例えば間取りの少ない広い居住空間を形成することができず、居住空間のプランニングの自由度が小さい。また、室内空間における間取りの仕切りが耐力壁で構成されると、構造上、この耐力壁を撤去することはできないため、リフォームの際に間取りの変更の自由がきかない。
【０００５】
本発明が解決しようとする課題は、間取りの少ない広い居住空間を形成でき、設計時やリフォーム時のプランニングの自由度が高い壁式構造建物を提供することにある。
【課題を解決するための手段】
【０００６】
上記課題を解決するため本発明に係る壁式構造建物は、耐力壁を含む平面構造体によって建物を支える壁式構造建物であって、室内空間を形成する壁を建物を支える耐力壁で構成するとともに、室内空間を形成する壁を隔てて建物内における室内空間の外にある外部空間に建物を支える耐力壁をさらに設置したことを要旨とするものである。
【０００７】
この場合、室内空間の中には耐力壁を設置しないことが望ましい。そして、外部空間に配置した耐力壁は廊下あるいはバルコニーの外壁を構成していることが好ましい。このとき、室内空間を形成する壁と廊下あるいはバルコニーの外壁との間に建物を支える耐力壁をさらに設置してもよい。例えば、外部空間に配置される配管スペースあるいは収納スペースを覆う壁を、建物を支える耐力壁で構成してもよい。
【発明の効果】
【０００８】
本発明に係る壁式構造建物によれば、室内空間を形成する壁を建物を支える耐力壁で構成するとともに、室内空間を形成する壁を隔てて建物内における室内空間の外にある外部空間に建物を支える耐力壁をさらに設置したことで、間取りの少ない広い居住空間を形成でき、設計時やリフォーム時のプランニングの自由度を高くできる。
【図面の簡単な説明】
【０００９】
【図１】本発明に係る壁式構造建物の平面視概念図である。
【図２】図１における壁式構造建物のＡ−Ａ線断面図である。
【図３】従来の壁式構造建物の平面視概念図である。
【図４】図３における壁式構造建物のＢ−Ｂ線断面図である。
【発明を実施するための形態】
【００１０】
以下、本発明の実施形態について、図を参照して詳細に説明する。図１は、本発明に係る壁式構造建物の平面視概念図である。図２は、図１における壁式構造建物のＡ−Ａ線断面図である。
【００１１】
図１、２に示すように、壁式構造建物１０の居住空間Ｓは、桁行方向の一対の壁１２ａ，１２ｂと張間方向の一対の壁１４ａ，１４ｂ（あるいは１４ａ，１４ｃ）と上下の床板（天井）１６とにより囲まれた空間よりなる。桁行方向の壁１２ａ，１２ｂおよび張間方向の壁１４ａ，１４ｂ，１４ｃのいずれも建物を支える耐力壁で構成されている。耐力壁は、鉄筋コンクリートなどによって形成される。
【００１２】
図１における左側の居住空間Ｓ１では、張間方向の一方の壁１４ａが隣家との間の仕切りとなっており、他方の壁１４ｂは建物外との間の仕切りとなっている。また、図１における右側の居住空間Ｓ２では、張間方向の両方の壁１４ａ，１４ｃが隣家との間の仕切りとなっている。建物外との間の仕切りとなる壁１４ｂには窓Ｗがあるものの張間方向全体に延びている。また、隣家との間の仕切りとなる壁１４ａ，１４ｃには窓がなく、張間方向全体に延びている。このため、これらの壁を耐力壁とすることによって張間方向の耐力壁の量は十分に確保される。
【００１３】
一方、桁行方向の壁１２ａ，１２ｂには、採光用の窓や出入り用の間口などの開口部Ｘが形成される。このため、桁行方向については居住空間Ｓを形成する壁１２ａ，１２ｂだけでは耐力壁の量を確保することが難しい。従来の壁式構造建物３０では、図３、４に示すように、室内空間Ｓにおける間取りの仕切り３２の一部または全部を耐力壁で構成することによって桁行方向の耐力壁の量を確保している。しかしながら、桁行方向の耐力壁の量を室内空間Ｓにおける間取りの仕切り３２で補う従来の設計では、例えば間取りの少ない広い居住空間を形成することができず、居住空間のプランニングの自由度が小さい。また、室内空間における間取りの仕切り３２が耐力壁で構成されると、構造上、この耐力壁を撤去することはできないため、リフォームの際に間取りの変更の自由がきかない。
【００１４】
そこで、本発明においては、上述するように室内空間Ｓを形成する壁（例えば１２ａ，１２ｂ，１４ａ，１４ｂ，１４ｃなど）を建物を支える耐力壁で構成するとともに、室内空間Ｓを形成する壁を隔てて室内空間Ｓの外にある外部空間に建物を支える耐力壁をさらに設置している。外部空間とは、建物外の空間ではなく、建物内における室内空間の外の空間であり、図１、２に示すように、集合住宅の（共用）廊下１８やバルコニー２０などが挙げられる。集合住宅の（共用）廊下１８やバルコニー２０には、桁行方向および張間方向の両方、特に桁行方向により長い外壁１８ａ，２０ａが形成されるため、この外壁１８ａ，２０ａを耐力壁とすることで、桁行方向の耐力壁の量を従来よりも多くすることができる。
【００１５】
また、室内空間Ｓを形成する桁行方向の壁１２ａと（共用）廊下１８の外壁１８ａとの間や桁行方向の壁１２ｂとバルコニー２０の外壁２０ａとの間に、建物を支える耐力壁をさらに設置してもよい。（共用）廊下１８には、電気配管やガス配管などの配管スペースが設置されることがある。また、（共用）廊下１８やバルコニー２０には、物置となる収容スペースが設置されることがある。例えば図１には、（共用）廊下１８にメータボックスＭやトランクルームＴを設置した例を示している。配管スペースや収容スペースは、通常、簡易な間仕切りで仕切られており、耐力壁では構成されていない。このようなスペースを設置する場合には、スペースを仕切る壁を利用し、これを耐力壁とすることで、桁行方向の耐力壁の量を従来よりも多くすることができる。
【００１６】
このように建物内における外部空間に耐力壁を設置することで桁行方向の耐力壁の量を従来よりも多くすることができ、桁行方向の耐力壁の量を十分に確保することができる。これにより、室内空間Ｓの中に耐力壁を設置しない構成にすることができる。本発明においては、外部空間に耐力壁を設置して桁行方向の耐力壁の量を多くすることで室内空間Ｓの中に耐力壁を設置しない構成にすることが好ましいが、居住空間のプランニングの自由度が確保される、広い居住空間を形成することができるのであれば、室内空間Ｓの任意の場所に耐力壁を設置していてもよい。
【００１７】
以上、本発明に係る壁式構造建物１０によれば、室内空間Ｓを形成する壁を建物を支える耐力壁で構成するとともに、室内空間Ｓを形成する壁を隔てて建物内における室内空間Ｓの外にある外部空間に建物を支える耐力壁をさらに設置したことで、間取りの少ない広い居住空間を形成でき、設計時やリフォーム時のプランニングの自由度を高くできる。
【符号の説明】
【００１８】
１０  壁式構造建物
１２ａ，１２ｂ  桁行方向の壁
１４ａ，１４ｂ，１４ｃ  張間方向の壁
１８  （共用）廊下
２０  バルコニー
Ｓ  室内空間
【図１】
2014163093.tif 000003
【図２】
2014163093.tif 000004
【図３】
2014163093.tif 000005
【図４】
2014163093.tif 000006